(57)【要約】【課題】メダル投入口までのメダルを持ち上げる際の移動距離が短く、そのような作業が行いやすい下皿を備えた遊技機を提供する。【解決手段】複数のメダルを同時に投入可能なメダル投入口２４と、メダル投入口２４に接して設けられメダルを貯留する貯留部を備える上皿部２０と、下部パネル５０の上方かつ上皿部２０の下方に隣接して設けられメダルを貯留する下皿部７０と、上皿部２０と下皿部７０とを結びメダルを流下させる連結管とを有する遊技機１０である。下皿部７０は、底面７１と壁部７２とを備え、メダル汎用容器を設置できる形状である。下皿部７０の前部上端と上皿部の前部下端との間の垂直距離はメダル汎用容器の高さより長い。【選択図】　図１
2004097613.tif 000002
【特許請求の範囲】
【請求項１】
メダルを用いる遊技機であって、
筐体と、
前記筐体の最下部に設けられた下部パネルと、
前記下部パネルの上方に設けられ、複数のメダルを同時に投入可能なメダル投入口、および、前記メダル投入口に接して設けられメダルを貯留する貯留部を、備える上皿部と、
前記下部パネルの上方かつ前記上皿部の下方に隣接して設けられメダルを貯留する下皿部と、を有することを特徴とする遊技機。
【請求項２】
請求項１に記載の遊技機であって、
前記下皿部はメダル汎用容器を当該下皿部上に設置できる形状であることを特徴とする遊技機。
【請求項３】
請求項１に記載の遊技機であって、
前記下皿部の前部上端と前記上皿部の前部下端との間の垂直距離がメダル汎用容器の高さより長いことを特徴とする遊技機。
【請求項４】
請求項３に記載の遊技機であって、
前記下皿部は底面と当該底面の周囲を囲む壁部とを備えることを特徴とする遊技機。
【請求項５】
請求項１ないし請求項４のいずれかに記載の遊技機であって、
前記下皿部は、少なくともその一部が前方に引き出し可能に形成されていることを特徴とする遊技機。
【請求項６】
請求項１ないし５のいずれかに記載の遊技機であって、
前記上皿部と前記下皿部とを結びメダルを流下させる連結管と、
前記上皿部に設けられ前記連結管に連続する連結管用開口部と、
前記連結管用開口部が形成された領域と前記貯留部が形成された領域とに前記上皿部を仕切る位置と、それらの領域を仕切らない位置とを移動可能に前記上皿部に設けられた仕切り板と、
をさらに備えることを特徴とする遊技機。
【発明の詳細な説明】
【０００１】
【発明の属する技術分野】
本発明は、メダルを用いる遊技機に関する。
【０００２】
【背景技術および発明が解決しようとする課題】
スロットマシンなどの遊技機においては、払い出されたメダルを貯留する下皿が設けられているものがある。そのような下皿は、メダル投入口のある位置からかなり下に離れて設けられているのが通常であった。
【０００３】
しかしながら、そのように下皿がメダル投入口からかなり離れた下方にあると、貯留されたメダルを再び投入するためには、下皿からメダル投入口までのメダルを持ち上げる際の移動距離が長く、手間がかかっていた。また、下方まで手を伸ばす必要があり、行い易い作業ではなかった。
【０００４】
本発明は、上記のような点に鑑みてなされたものであって、その目的は、メダル投入口までのメダルを持ち上げる際の移動距離が短く、そのような作業が行いやすい下皿を備えた遊技機を提供することにある。
【０００５】
【課題を解決するための手段】
（１）　本発明の遊技機は、メダルを用いる遊技機であって、筐体と、前記筐体の最下部に設けられた下部パネルと、前記下部パネルの上方に設けられ、複数のメダルを同時に投入可能なメダル投入口、および、前記メダル投入口に接して設けられメダルを貯留する貯留部を、備える上皿部と、前記下部パネルの上方かつ前記上皿部の下方に隣接して設けられメダルを貯留する下皿部と、を有する。
本発明によれば、メダル投入口が設けられている上皿部と、下皿部とが互いに隣接して設けられているため、下皿部に貯まったメダルをメダル投入口に移動させるための移動距離が短くてすむ。したがって、そのようなメダルの移動にかかる手間が少ない。また、そのような移動において下方に手を伸ばさなくてよいため作業が容易となる。
【０００６】
（２）　なお、前記下皿部はメダル汎用容器を当該下皿部上に設置できる形状であってもよい。これによって、下皿部にメダル汎用容器を設置できるため、メダルを他の遊技機に移動させる際などにはそのメダル汎用容器を取り出して容易にメダルを運ぶことができる。
【０００７】
（３）　また、前記下皿部の前部上端と前記上皿部の前部下端との間の垂直距離がメダル汎用容器の高さより長くてもよい。これによって、下皿部と上皿部との間を介してメダル汎用容器を出し入れすることができる。
【０００８】
（４）　本発明の遊技機は、さらに、前記下皿部は底面と当該底面の周囲を囲む壁部とを備えていてもよい。これによって、下皿部にメダル汎用容器などを載置してない状態であっても、下皿部にある程度の数のメダルを蓄えることができる。
【０００９】
（５）　そして、前記下皿部は、少なくともその一部が前方に引き出し可能に形成されていてもよい。このように、下皿部の少なくとも一部が引き出し可能となっていることによって、下皿部へのメダル汎用容器などの載置や取出しを下皿部の少なくとも一部を引き出した状態で容易に行うことができる。
【００１０】
（６）　本発明の遊技機は、さらに、　前記上皿部と前記下皿部とを結びメダルを流下させる連結管と、前記上皿部に設けられ前記連結管に連続する連結管用開口部と、前記連結管用開口部が形成された領域と前記貯留部が形成された領域とに前記上皿部を仕切る位置と、それらの領域を仕切らない位置とを移動可能に前記上皿部に設けられた仕切り板と、を備えていてもよい。これによって、連結管用開口部が形成された領域と前記貯留部が形成された領域とに前記上皿部を仕切らない位置に仕切り板を移動させておけば、上皿部の貯留部にあるメダルを連結管用開口部に押しやるだけで、連結管を介してメダルを下皿部に移動させることができる。また、連結管用開口部が形成された領域と前記貯留部が形成された領域とに前記上皿部を仕切る位置に仕切り板を移動させておけば、メダルを上皿部の貯留部に確実に蓄えることができる。
【００１１】
【発明の実施の形態】
以下、本発明の好適な実施の形態について、図面を参照しながら、さらに具体的に説明する。
【００１２】
１．　＜第１実施形態＞
【００１３】
図１は第１実施形態の遊技機としてのスロットマシンを示す斜視図である。図２は図１に示したスロットマシンの左側面図である。図３は図１に示したスロットマシンの右側面図である。図４は図１に示したスロットマシンの背面図である。図５は図１に示したスロットマシンの正面図である。図６は図１に示したスロットマシンの底面図である。図７は図１に示したスロットマシンの平面図である。なお、これらの図においては、本実施形態のスロットマシンの主要部以外の部分は破線で示してある。
【００１４】
これらの図に示したように、本実施形態のスロットマシンは、筐体１１と、メダル投入口２４と、上皿部２０と、下皿部７０と、上皿部２０と下皿部７０とを結ぶ図示しない連結管と、筐体１１の最下部に設けられた下部パネル５０とを備えて構成されている。
【００１５】
図９（Ａ）は上皿部２０の平面図である。この図にも示すように、上皿部２０には、メダル投入口２４と、メダル投入口２４に接して設けられメダルを一時的に貯留する貯留部２３と、連結管に連続する連結管用開口部２５とが設けられている。メダル投入口２４は複数のメダルを同時に投入可能に形成されている。図示しないが、上皿部２０の中ほど奥には、入賞時にメダルを払い出すメダル払い出し口が設けられている。
【００１６】
さらに、上皿部２０には仕切り板２８が設けられている。仕切り板２８は、図９（Ａ）に示したように、連結管用開口部２５が形成された領域と、貯留部２３が形成された領域とに上皿部２０を仕切る位置に移動できるように形成されている。仕切り板２８は、さらに、図９（Ｂ）に連結管用開口部２５付近の斜視図として示したように、連結管用開口部２５の左端の位置、すなわち、連結管用開口部２５が形成された領域と、貯留部２３が形成された領域とに上皿部２０を仕切らず連続とする位置にも移動可能となっている。これによって、連結管用開口部２５が形成された領域と貯留部２３が形成された領域とに上皿部２０を仕切らない位置に仕切り板２８を移動させておけば、貯留部２３にあるメダルを連結管用開口部２５に押しやるだけで、連結管を介してメダルを下皿部７０に移動させることができる。また、連結管用開口部２５が形成された領域と貯留部２３が形成された領域とに上皿部２０を仕切る位置すなわち図９（Ａ）に示した位置に仕切り板２８を移動させておけば、メダルを貯留部２３に確実に蓄えることができる。
【００１７】
下皿部７０は、図１〜図５に示したように、下部パネル５０の上方であって上皿部２０の下方に隣接して設けられており、下皿部７０上にメダルを貯留できるように形成されている。このように、本実施形態のスロットマシン１０は、下皿部７０が、メダル投入口２４を備える上皿部２０に隣接して設けられているため、下皿部７０に貯まったメダルをメダル投入口２４に移動させるための移動距離が短くてすむ。したがって、そのようなメダルの移動にかかる手間が少ない。また、そのような移動において下方に手を伸ばさなくてよいため作業が容易となる。
【００１８】
また、図１などから明らかなように、下皿部７０は、底面７１と、底面７１の周囲を囲む壁部７２とを備えている。そのため、下皿部７０にメダル汎用容器などを載置してない状態であっても、下皿部７０にある程度の数のメダルを直接蓄えることができる。
【００１９】
また、下皿部７０の前部上端と上皿部２０の前部下端との間の垂直距離は、メダル汎用容器の高さより長くなっている。そのため、下皿部７０と上皿部２０との間を介してメダル汎用容器９０を出し入れすることができる。
【００２０】
図８は第１実施形態のスロットマシン１０の下皿部７０にメダル汎用容器９０を設置した状態を示す斜視図である。このように、下皿部７０は、メダル汎用容器９０を設置できる形状となっている。したがって、メダルを他の遊技機に移動させる際などにはそのメダル汎用容器９０を取り出して容易にメダルを運ぶことができる。
【００２１】
２．　＜第２実施形態＞
【００２２】
第２実施形態のスロットマシンは下皿部が引き出し可能に形成されている点が第１実施形態のスロットマシンと異なる。それ以外の点は第１実施形態のスロットマシンと同様に形成されている。以下においては第２実施形態のスロットマシンが第１実施形態のスロットマシンと異なる点を主に述べる。第１実施形態と同一な部分については、図面においても第１実施形態と同一の符号を付す。
【００２３】
図１０は第２実施形態の遊技機としてのスロットマシン１００の下皿部７５にメダル汎用容器９０が載置された状態として示す斜視図である。図１１は図１０に示したスロットマシン１００の正面図である。図１２は図１０に示したスロットマシン１００の右側面図である。なお、これらの図においては、本実施形態のスロットマシン１００の主要部とメダル汎用容器９０以外の部分は破線で示してある。
【００２４】
これらの図に示したように、第２実施形態のスロットマシン１００の下皿部７５は、前方に引き出し可能に形成されたスライドテーブル７６を備えて形成されている。このように、下皿部７５の一部であるスライドテーブル７６が引き出し可能となっていることによって、下皿部７５へのメダル汎用容器９０などの載置や取り出しをスライドテーブル７６が引き出された状態で容易に行うことができる。
【００２５】
３．　＜変形例＞
【００２６】
３．１　前述した各実施形態では遊技機としてのスロットマシンの形状の一例を図示したが、本発明の特徴部以外におけるスロットマシンの形状は自由に変形することができる。
【００２７】
３．２　前述した各実施形態では遊技機としてスロットマシンの例を示したが、本発明が適用される遊技機はメダルを用いる遊技機であればスロットマシンでなくともよい。
【００２８】
３．３　本発明は前述した各実施形態に限定されるものではなく、本発明の要旨の範囲内、または、特許請求の範囲の均等範囲内で、各種の変形実施が可能である。
【図面の簡単な説明】
【図１】第１実施形態の遊技機としてのスロットマシンを示す斜視図である。
【図２】図１に示したスロットマシンの左側面図である。
【図３】図１に示したスロットマシンの右側面図である。
【図４】図１に示したスロットマシンの背面図である。
【図５】図１に示したスロットマシンの正面図である。
【図６】図１に示したスロットマシンの底面図である。
【図７】図１に示したスロットマシンの平面図である。
【図８】図１に示したスロットマシンの下皿部にメダル汎用容器を設置した状態を示す斜視図である。
【図９】図１に示したスロットマシンの上皿部を示す図であり、（Ａ）は上皿部の平面図であり、（Ｂ）は連結管用開口部付近の斜視図である。
【図１０】第２実施形態の遊技機としてのスロットマシンの下皿部にメダル汎用容器が載置された状態として示す斜視図である。
【図１１】図１０に示したスロットマシンの正面図である。
【図１２】図１０に示したスロットマシンの右側面図である。
【符号の説明】
１０，１００　スロットマシン（遊技機）
２０　上皿部
２３　貯留部
２４　メダル投入口
２８　仕切り板
７０，７５　下皿部
７１　底面
７２　壁部
７６　スライドテーブル
【図１】
2004097613.tif 000003
【図２】
2004097613.tif 000004
【図３】
2004097613.tif 000005
【図４】
2004097613.tif 000006
【図５】
2004097613.tif 000007
【図６】
2004097613.tif 000008
【図７】
2004097613.tif 000009
【図８】
2004097613.tif 000010
【図９】
2004097613.tif 000011
【図１０】
2004097613.tif 000012
【図１１】
2004097613.tif 000013
【図１２】
2004097613.tif 000014